(57)【要約】      （修正有）【課題】古い居住空間をライフスタイルの変化に柔軟に対応できる衛生設備付き多機能家具を提供する。【解決手段】衛生設備ユニットを含む衛生設備１と収納設備５である家具を居住空間の中央に集約させ、衛生設備の側壁の周りの一部を直接にまたはパネル３を介して収納設備で囲んだ衛生設備付き多機能家具において、衛生設備１の一方の側壁または隣接する二方の側壁の外壁面または側壁を構成するパネル３の外壁面にそれぞれの背面が対面するような向きで平面視してＩ字型またはＬ字型になるように配列された収納設備５と、衛生設備ユニットの開放された側壁の外壁面または側壁を構成するパネル３の外壁面に背面が対向する向きで収納設備５と対峙し、または隣接するように配列されたキッチン設備９とからなる。【選択図】図１
0003205887.tif 000002
【実用新案登録請求の範囲】
【請求項１】
衛生設備ユニットを含む衛生設備と収納設備である家具を居住空間の中央に集約させ、衛生設備の側壁の周りの一部を直接にまたはパネルを介して収納設備で囲んだ衛生設備付き多機能家具において、
衛生設備の一方の側壁または隣接する二方の側壁の外壁面または前記側壁を構成するパネルの外壁面にそれぞれの背面が対面するような向きで平面視してＩ字型またはＬ字型になるように配列された収納設備と、
前記衛生設備ユニットの開放された側壁の外壁面または側壁を構成するパネルの外壁面に背面が対向する向きで前記収納設備と対峙し、または隣接するように配列されたキッチン設備とからなることを特徴とする衛生設備付き多機能家具。
【請求項２】
衛生設備の一方の側壁もしくは隣接する二方の側壁の外壁面または前記側壁を構成するパネルの外壁面と、該外壁面と対面する収納設備またはキッチン設備の間の空間に、外側に引き出し可能な引き戸が設けられており、居住空間を仕切る間仕切りとなることを特徴とする請求項１に記載の衛生設備付き多機能家具。
【請求項３】
衛生設備の一方の側壁もしくは隣接する二方の側壁の外壁面または前記側壁を構成するパネルの外壁面に引き戸を収納する引き戸収納ボックスが設けられていることを特徴とする請求項２に記載の衛生設備付き多機能家具。
【請求項４】
衛生設備の一方の側壁もしくは隣接する二方の側壁の外壁面または前記側壁を構成するパネルの外壁面と、該外壁面と対面する収納設備またはキッチン設備の間に配置されるように収納設備またはキッチン設備に引き戸を収納する引き戸収納ボックスが設けられていることを特徴とする請求項２に記載の衛生設備付き多機能家具。
【考案の詳細な説明】
【技術分野】
【０００１】
本考案は、衛生設備および収納設備を備えた家具に関する。
【背景技術】
【０００２】
従来、衛生設備と収納設備である家具を集約させた衛生設備付き多機能家具について、例えば、特開２０１１−４７２６１号（特許第４６９１１９４号）では、衛生設備は衛生設備ユニットを含み、柱を使用せずに設置された複数のパネルに囲まれた空間に配置され、家具は、前記衛生設備ユニットの３方の側壁を構成するパネルの外壁面にそれぞれの背面が対面するような向きで平面視してコ字型になるように配列され、平面視して矩形の箱型構造物であり、住空間の略中央に、周囲に平面視してロ字型の空間が形成されるように設置される構成、および、キッチン設備をさらに備え、前記キッチン設備が、前記パネルの外壁面のうち前記家具と対面していない外壁面の側方に配置されている構成が提案されている。
しかし、上記構成では、家具が、前記衛生設備ユニットの３方の側壁を構成するパネルの外壁面にそれぞれの背面が対面するような向きで平面視してコ字型になるように配列される必要があり、配置の自由度が制限されるという問題点があった。
【先行技術文献】
【特許文献】
【０００３】
【特許文献１】特開２０１１−４７２６１号公報
【考案の概要】
【考案が解決しようとする課題】
【０００４】
この考案は、上記問題点を解決するために、流し台などのキッチン設備を、衛生設備ユニットを囲む家具と共に、衛生設備ユニットを囲む位置で、衛生設備ユニットの側壁または該側壁を構成するパネルの外壁面に背面が対峙しうるように配置することができる衛生設備および収納設備を備えた家具を提供することを課題とする。
【課題を解決するための手段】
【０００５】
上記課題を解決するために、請求項１の考案では、
衛生設備ユニットを含む衛生設備と収納設備である家具を居住空間の中央に集約させ、衛生設備の側壁の周りの一部を直接にまたはパネルを介して収納設備で囲んだ衛生設備付き多機能家具において、
衛生設備の一方の側壁または隣接する二方の側壁の外壁面または前記側壁を構成するパネルの外壁面にそれぞれの背面が対面するような向きで平面視してＩ字型またはＬ字型になるように配列された収納設備と、
前記衛生設備ユニットの開放された側壁の外壁面または側壁を構成するパネルの外壁面に背面が対向する向きで前記収納設備と対峙し、または隣接するように配列されたキッチン設備とからなることを特徴とする。
請求項２の考案では、
衛生設備の一方の側壁もしくは隣接する二方の側壁の外壁面または前記側壁を構成するパネルの外壁面と、該外壁面と対面する収納設備またはキッチン設備の間の空間に、外側に引き出し可能な引き戸が設けられており、居住空間を仕切る間仕切りとなることを特徴とする。
請求項３の考案では、
衛生設備の一方の側壁もしくは隣接する二方の側壁の外壁面または前記側壁を構成するパネルの外壁面に引き戸を収納する引き戸収納ボックスが設けられていることを特徴とする。
請求項４の考案では、
衛生設備の一方の側壁もしくは隣接する二方の側壁の外壁面または前記側壁を構成するパネルの外壁面と、該外壁面と対面する収納設備またはキッチン設備の間に配置されるように収納設備またはキッチン設備に引き戸を収納する引き戸収納ボックスが設けられていることを特徴とする。
徴とする。
【考案の効果】
【０００６】
本考案によると、従来、分散して設置されていた衛生設備や家具とキッチン設備とを集約化することにより、限られた居住空間を有効活用することができるようになる。
また、引き戸は衛生設備の側壁の外壁面または側壁を構成するパネルの外壁面と、家具およびまたはキッチン設備との隙間に引き出し可能な引き戸を収納可能であるため、必要に応じて居住空間にパーティションとして使用することにより、用途に応じて居住空間を自由に仕切って使用することができる。
【図面の簡単な説明】
【０００７】
【図１】衛生設備付き多機能家具の実施例１を示す居住空間の平面図である。
【図２】衛生設備付き多機能家具の実施例１を示す平面図である。
【図３】衛生設備付き多機能家具の実施例２を示す平面図である。
【図４】衛生設備付き多機能家具の実施例３を示す平面図である。
【図５】衛生設備付き多機能家具の実施例４を示す平面図である。能家具の平面図である。
【考案を実施するための形態】
【０００８】
以下、本考案の衛生設備付き多機能家具の好適な実施形態について、図面を参照して説明する。
【実施例１】
【０００９】
図１および図２は、実施例１の衛生設備付き多機能家具の平面図である。
衛生設備付き多機能家具１０は、図１で示すごとく、衛生設備１と、衛生設備１の側壁となるパネル３と、収納設備５と、引き戸７と、キッチン設備９とによって構成される。
前記衛生設備付き多機能家具１０は、該家具類が設置される屋内の居住空間Ｓの略中央に設置される。
【００１０】
ここで衛生設備１は、浴室１ａ（ユニットバス、シャワー室、サウナ室など）やトイレ、洗面台または洗面化粧台１ｃ、洗濯機１ｂ等の水回りに関する設備もしくはこれらの設備を組み合わせたものをいう。
【００１１】
本実施例では衛生設備１の側壁であって、隣接する二方の側壁を構成する平面視Ｌ字型のパネル３（３Ａ、３Ｂ）が設けられるが、パネル３は、衛生設備１を囲む側壁をそそのままパネルとして用いるものでも、側壁に替えて側壁とは別体のパネルを用いるものでもよい。
パネル３は、衛生設備１を設置する空間の一部を居住空間Ｓから区画する仕切壁となるので、パネル３の内側には、例えば浴室のみ、浴室（ユニットバス）とトイレ、またはこれらと洗面台などを組み合わせた衛生設備ユニットなどを配置することになる。
【００１２】
本実施例では、衛生設備１を囲む第１パネル３Ａと第２パネル３Ｂとにより平面視Ｌ状に形成されるパネルを基準として後述の収納設備５が配置される。
なお、３Ｄは第２パネル３Ｂと対向する第３パネルである。
【００１３】
上記パネル３Ａ〜３Ｂで囲まれていない１つの側壁３Ｃには、衛生設備１の出入口となるドア部４が設けられている。
そして、上記ドア部４を除いた前記隣接するパネル３Ａ〜３Ｂには、それぞれの背面が対面する向きで収納家具などの収納設備５が配置される。
【００１４】
前記収納設備５は、例えば家電製品や衣服その他の日用品、各種書籍、雑貨類等を収納する家具またはユニット家具の集合体として構成される。
それぞれの収納設備５は、背面で対面するパネル３Ａ〜３Ｂに隙間無く接触させ、または公知の連結部材（図示せず）を介して着脱可能に固定することにより、柱や構造壁等を用いることなく居住空間の中央位置で自立することができる。
【００１５】
そして、前記ドア部４が配置された側壁３Ｃまたはパネル３Ａと隣接し、前記パネル３Ｂと対峙する衛生設備１の側壁３Ｄの外壁面には、キッチン設備９の背面が対向する向きで配置される。
これにより衛生設備１とキッチン設備９とを隣接させるので、水回りやガス、電気などのラインを単純化することができ、また衛生設備１を中心とする家具やキッチン設備９の配置の自由度を高めることができる。
【００１６】
次に、衛生設備１と収納設備５、または衛生設備１とキッチン設備９との間には、その長さ方向に沿って所定の幅の収納空間１１を設けることが好ましい。
収納空間１１には伸縮自在に引き出すことができる引き戸７が収納されている。
上記収納空間１１は、引き戸７を収納する隙間であってもよいし、引き戸７を収納する収納ボックス１１’（戸袋）構造であってもよい。
収納ボックス１１’は、衛生設備の任意の側壁３Ｂの延長上に一体に形成されるものや、収納設備５の側壁面に沿って同じ長さに設定されて固定されるものでもよい。
【００１７】
前記引き戸７は、アコーデオン式となって伸縮自在な構成や、１または複数の引き戸を順次収納空間１１から引き出して伸長方向に展開する構造など、公知の複数の伸縮構造を用いることができ、不使用時には収納空間１１や収納ボックス１１’内に完全に収納され、使用時には前記収納空間１１や収納ボックス１１’からその延長線上に引き出されるので、居住空間Ｓを仕切るパーティションとして用いることができる。
従って、引き戸７を引き出して展開するので、居住空間Ｓを複数の区画に仕切って個別の部屋として使用することができる。
【００１８】
上記引き戸７は、居住空間Ｓの床面上をスムーズに移動しやすいように、予め床面上にガイドレールを敷設しておき、引き戸７の底面に設けた車輪によって走行させる構成としてもよい。
上記構成に加え、あるいは上記構成に替えて、居住空間Ｓの天井面に、前記床面のガイドレールの位置に対応する位置に、引き戸７の上端を吊り下げながら走行する車輪の走行をガイドするガイドレール、あるいは引き戸７の上端を摺動させる鴨居のようなガイドレールを敷設しておいてもよい。
【００１９】
また、収納ボックス１１’は、第１パネル３Ａまたは第２パネル３Ｂと収納設備５との間に介設してもよい。
または、これら第１パネル３Ａもしくは第２パネル３Ｂまたは収納設備５もしくはキッチン設備９の壁面の延長上に設けられるものでもよい。
収納空間１１または収納ボックス１１’から引き出された引き戸７は、その先端が前記居住空間Ｓを仕切り、基端は、収納ボックス１１’や前記パネル３、収納設備５、キッチン設備９などに固定され、もしくは係脱可能に掛け止められてパーティションとして機能しうる構造となっている。
【００２０】
前記引き戸７の先端も、居住空間Ｓの窓側や周壁側に係止可能に掛け止められて展開した状態を保持しうることが好ましい。
また、前記ガイドレールは、居住空間Ｓの天井面や床面に固定されるものであってもよいし、引き戸７と共に連動して天井または床面を摺動するものであってもよい。
引き戸７を収納空間や収納ボックスから引き出す際の移動は、車輪に限らず、床面や天井面との接触する引き戸の接触面に、摩擦係数が小さく滑り特性の良好な、例えばフッ素樹脂コーティングされた摺動部を設けるなどの構成でもよい。
【実施例２】
【００２１】
図３は、実施例２の衛生設備付き多機能家具の平面図である。
この衛生設備付き多機能家具１０は、パネル３が衛生設備１の１つの側壁（図中左側の側壁）をそのまま用い、またはその側壁にパネルを固定部材で一体的に固定されるもので、該第１パネル３Ａにより平面視Ｉ状に形成される。
【００２２】
ユニットバス１ａと洗濯機１ｂと洗面化粧台１ｃとからなる衛生設備１には、図中左側の側壁を構成する第１パネル３Ａが設けられている。
この第１パネル３Ａには、背面が対面するような向きで平面視してＩ字型になるように家具などの収納設備５が１または複数（図示例では２つ）並んで配列されている。
また、ユニットバス１ａと、洗濯機１ｂおよび洗面化粧台１ｃとが配置された脱衣室１ｄとの間には、ドア部４を有する仕切り壁Ｗが形成されており、該仕切り壁Ｗと対峙する側壁３Ｄには家具類は配置されない。
【００２３】
ユニットバス１ａの前記第１パネル３Ａと対峙する側壁３Ｃには、その外壁面に背面が対向する向きで衛生設備１を介して前記収納設備５と対峙するようにシンクなどのキッチン設備９が配列されている。
また、第１パネル３Ａの収納設備５と洗濯機１ｂとが対向する個所には、第１パネル３Ａの一部と収納設備５との間に引き戸７を収納する収納空間１１または収納ボックス１１’が形成されており、引き戸７を延長方向に引き出し可能となっている。
その他の構成は前記実施例と同様であるので、その説明を省略する。
【実施例３】
【００２４】
図４は、実施例３の衛生設備付き多機能家具の平面図であり、実施例２と同様に、衛生設備付き多機能家具１０は、パネル３Ａ（３）が衛生設備１の１つの側壁（図中左側の側壁）からなり、または固定部材でパネルを側壁に一体的に固定したもので、該第１パネル３Ａにより平面視Ｉ状に形成される。
【００２５】
そして、ユニットバス１ａと、洗面化粧台１ｃとが配置された脱衣室１ｄとの間には、ドア部４を有する仕切り壁Ｗが形成されており、該仕切り壁Ｗと対峙する側壁３Ｄには、その外壁面に背面が対向する向きでシンクなどのキッチン設備９が配列されている。
【００２６】
図示例では、キッチン設備９の図中左端は、収納設備５の端面と同一面状に整合するように配置されており、凹凸ができないように配置されている。
その他の構成は前記実施例に準じるので、その説明を省略する。
【実施例４】
【００２７】
図５は、実施例４の衛生設備付き多機能家具の平面図であり、衛生設備付き多機能家具１０は、パネル３がシャワー室１ａからなる衛生設備１の１つの側壁（図中右側の側壁）と一体に形成され、または固定部材で一体的に固定されるもので、該側壁が第１パネル３Ａとなって平面視Ｉ状に形成される。
【００２８】
この第１パネル３Ａには、背面が対面するような向きで平面視してＩ字型になるように家具などの収納設備５が配列される。
また、シャワー室１ａと、洗濯機１ｂとは仕切り壁Ｗ２によって仕切られ、脱衣室１ｄとの間にはドア部４を有する仕切り壁Ｗが設けられている。
【００２９】
シャワー室１ａと図中左側に配置された脱衣室１ｄとの間には、ドア部４を有する仕切り壁Ｗが形成されている。
前記シャワー室１ａに対して、前記仕切り壁Ｗ２と対峙する側壁３Ｄの外壁面にはシンクなどのキッチン設備９の背面が揃うように配置されている。
図示例では、第１パネル３Ａに沿って収納空間１１が設けられて引き戸７が収納されている。
【００３０】
また、前記仕切り壁Ｗ２にも収納空間１１を設けて引き戸７が収納されていてもよい（図示せず）。
その他の構成は前記実施例に準じるので説明を省略する。
このように本願考案では、衛生設備付き多機能家具１０を中心に、略放射状に引き戸７を引き出して居住空間を仕切ることができ、不使用時に引き戸は収納空間や収納ボックス内に収納されるので邪魔になることなくコンパクトに収納することができる。
この考案は、上記実施例に限定されるものではなく、要するにこの考案の要旨を変更しない範囲で種々設計変更することができる。
【符号の説明】
【００３１】
１    衛生設備
３    パネル
３Ａ  第１パネル
３Ｂ  第２パネル
４    ドア部
５    収納設備
７    引き戸
９    キッチン設備
１０    衛生設備付き多機能家具
Ｓ    居住空間
Ｗ、Ｗ２  仕切り壁
【図１】
0003205887.tif 000003
【図２】
0003205887.tif 000004
【図３】
0003205887.tif 000005
【図４】
0003205887.tif 000006
【図５】
0003205887.tif 000007